Podtech/llm-jp-corpus-v4-ja_patent huggingface dataset:
(57)【要約】【課題】乾燥した季節に体に帯電した静電気が指先等から放電されるときに受ける不快なショックを軽減させる。【手段】靴にアクセサリーの要素を盛り込んだアースを取り付け、体に溜まった静電気を足から１導電部、２留め金、３アース部を通し、地面に放電する。【選択図】図１
2012105936.tif 000002
【特許請求の範囲】
【請求項１】
この発明は体にたまった静電気が放出されるときに受けるショックを軽減させるため、比較的にショックの少ない足から放電させるため、本品を靴に取り付け、体に溜まった静電気を足から導電部１、留め金２、アース部３を通し、地面に放電する。
また本品に装飾を施すことにより、靴にワンポイントのアクセサリーを追加する新しいおしゃれアイテムとして楽しむことができる。
【発明の詳細な説明】
【技術分野】
【０００１】本発明は体に溜まった静電気が、指先を通して放電されるショックを軽減するために、足と地面の間に金属等で電気を流すアースを設け、静電気のショックを和らげるようにしたものである。
【背景技術】
【０００２】従来靴やスリッパ等の履物を履いているため、地面と人体の間で絶縁してしまい体に静電気が溜まってしまった。回避するための手段としてキーホルダーに静電気除去をつけたタイプの商品はあったが、毎回静電気を気にしながら放電しなければならず、そのキーホルダーが無い場合は回避できなかったが、足と地面に電気を流すようなアースを設けることにより、静電気が放電されるショックを気にすることなく生活することができる。
【発明の概要】
【発明が解決しようとする課題】
【０００３】乾燥した寒い時期に車から降りたときや、家のドアノブ等に触ったとき、体に溜まった、静電気が指先から放電し、ショックを受けるという難点があった。本発明はこの課題を解決するためになされたものである。
【課題を解決するための手段】
【０００４】足と地面の間に電気を流すため、導電部１（金属板や、金属線）とアース部３（チェーン等のしなやかな導電体）を設け人間アースを靴のサイドに装着し、足から地面に静電気を放出する。また、靴に金属がふれて痛まないよう保護部２（ゴムやビニール等の緩衝材）でカバーをすれば靴が傷みにくい。
【発明の効果】
【０００５】体に帯電した静電気が本発明品を装着することにより、足から地面に静電気が放電され、車や家のドアノブに触ったときのショックを軽減することができる。また、アンクレットのような装飾を加えることにより、靴につけるワンポイントファッションの要素も加えることができる。靴への装着方法はいろいろ考えられるが、靴のサイドへの装着や、クリップ等での固定、靴に穴を明けての固定も考えられる。
【図面の簡単な説明】
【０００６】
【図１】本発明の図面である。
【図２】本発明の使用状態を示す図面である。
【発明を実施するための形態】
【０００７】以下、本発明の実施の形態について説明する。
（イ）．図１のように導電部１、留め金２、アース部３の順番につながっており、体に溜まった静電気が流れるようになっている。
（ロ）．図２のように足と地面に電気が流れるよう靴に装着する。
（ハ）．留め金２ある程度のバネ性を持たせることにより保持金具の役割を持ち、かつ電極としての役割も兼ねている。
（ニ）．留め金２は靴が傷付きにくいようゴムや樹脂でコーティングしてもよい。
（ホ）．留め金２はクリップやピンチ等で靴に装着してもよい。
【符号の説明】
【０００８】１・・・導電部
２・・・留め金
３・・・アース部
４・・・装飾部
５・・・靴
【図１】
2012105936.tif 000003
【図２】
2012105936.tif 000004
(57)【要約】【課題】  鍋から取り皿に直接麺類を移すと、取りそこなう場合、汁がまわりに飛び散ることがある。  本発明は、麺類を移しそこなったり、汁を飛ばしたりことなく麺類を取り皿に移せる麺類用通路具を提供する。【解決手段】  傾斜湾曲させたすべり台状通路の頭頂部後方に、挟み部を設け、全体が鉤状の形となるように形成した麺類用通路具。【選択図】図１
2012105938.tif 000002
【特許請求の範囲】
【請求項１】
傾斜湾曲させたすべり台状通路の頭頂部後方に、挟み部を設け、全体が鉤状の形となるように形成した麺類用通路具。
【発明の詳細な説明】
【技術分野】
【０００１】  本発明は、鍋などから麺類を取り皿に移すための、麺類用通路具に関するものである。
【背景技術】
【０００２】  従来は、菜箸やトングで鍋から取り皿に直接麺類を移していた。
なお、流し素麺用の道具が知られている（特許文献１及び２参照）。
【先行技術文献】
【特許文献】
【０００３】
【特許文献１】特開２０００−５０２８号公報
【特許文献２】実登３１４３４１４号公報
【発明の概要】
【発明が解決しようとする課題】
【０００４】  鍋から取り皿に直接麺類を移すと、取りそこなう場合、汁がまわりに飛び散ることがある。
本発明は、以上の問題点を解決するためになされたものである。
【課題を解決するための手段】
【０００５】  傾斜湾曲させたすべり台状通路の頭頂部後方に、挟み部を設け、全体が鉤状の形となるように形成した麺類用通路具。
【発明の効果】
【０００６】  麺類が本発明の通路を通り、取り皿に移されることで、汁が飛び散るのをふせぐ。
箸を上手に使いこなせない子供や、手が不自由な人にはより利便性がある。
【図面の簡単な説明】
【０００７】
【図１】本発明の斜視図
【図２】本発明の実施例を示す斜視図
【図３】本発明の使用状態を示す斜視図
【発明を実施するための形態】
【０００８】（イ）傾斜湾曲させたすべり台状通路（１）を設ける。
（ロ）すべり台状通路（１）の頭頂部後方に、薄い板状の挟み部（２）を設ける。
（ハ）すべり台状通路（１）と挟み部（２）で鉤状の形となる。
本発明は以上の構成である。
本発明を使用するときは、鍋（３）の縁に本発明のすべり台状通路（１）が外へ向くように挟んで取りつける。
すべり台状通路（１）の下部へ取り皿（４）を置き、鍋（３）に入った麺（５）をすべり台状通路（１）に滑らせるように移すことで、汁の飛び散りを防ぐことができる。
【符号の説明】
【０００９】  １  すべり台状通路
２  挟み部
３  鍋
４  取り皿
５  麺
【図１】
2012105938.tif 000003
【図２】
2012105938.tif 000004
【図３】
2012105938.tif 000005
(57)【要約】【課題】従来のコタツ布団は、フワフワして、体に馴染まない、熱を逃がす、省エネにつながらない、本発明は使い心地のよさと、省エネを目的とした暖かいコタツ布団を提供する。【解決手段】布地をタックに折り、ボックスを作り、側面布地にゆとりが出来る。体をぽっこり優しく包み込んで、熱を逃がさず、省エネにつながる。暖かいコタツ布団である。【選択図】図１
2012105932.tif 000002
【特許請求の範囲】
【請求項１】
本発明は、上部布地と側面布地からなるコタツ布団である。前記長方形状の側面布地はタックが設けられていることが特徴とするコタツ布団。
【発明の詳細な説明】
【技術分野】
【０００１】  本発明は、暖を取る、コタツ布団に関するものである。
【背景技術】
【０００２】  従来、コタツ布団はフワフワして体に馴染まなかった。
【発明の概要】
【発明が解決しようとする課題】
【０００３】  従来、コタツ布団は、体に馴染まず、熱が逃げ、省エネにつながらない。本発明は、以上の問題点を解決するためになされたものである。
【課題を解決するための手段】
【０００４】  布地をタックに折り、ボックスを作る。体を包み込むのである。
【発明の効果】
【０００５】  従来、体に馴染まなかったコタツ布団、本発明により身体を心地よく優しく包み込んで、熱を逃がさず、省エネにつながるものである。
【図面の簡単な説明】
【０００６】
【図１】本発明の要部図
【図２】本発明の斜視図
【本発明を実施するための形態】
【０００７】  本発明は、上部の布地と側面布地からなるコタツ布団である。長方形状の側面布地はタックが設けられている。このタックは、図１に示すとおり布地を長辺方向に折り返し、タックを形成している。タックの幅は６ｃｍ程度が好ましい。タックがボックスの半分に重合するよう左右に設け、これらを連続させ全面に設ける。タックとボックスはしっかりと上部布地と縫い付けて使用する。
図２に示すとおり側面布地の短辺方向を丈とし、この丈はコタツ本体の高さ、座る、椅子使用にあわせて、３０ｃｍ程度余裕を持たせて、布地を制作する。
発明を使用するときは、しっかりと布地にゆとりを設けられたので、体をほっこりと包んで、熱を逃がさないものである。
【符号の説明】
【０００８】  １  タック、２  ボックス、３  側面布地、４  上部布地、５  丈
【図１】
2012105932.tif 000003
【図２】
2012105932.tif 000004
(57)【要約】【課題】従来の一方（一面）（１）からのみの鑑賞に対し、二方向（１）（２）あるいは、多方向（５）からの鑑賞や暗闇（４）でも鑑賞可能となる額縁・箱物を提供する。【解決手段】主に、ガラス等の透過面を展示壁とするため、額縁・箱物に接着可能な機能（３）＜吸盤・接着剤・接着テープ等＞を備える。また、照明機能（４）を内蔵させる。以上、接着・照明機能を備えた額縁・箱物を特徴とする。【選択図】図１
2012105933.tif 000002
【特許請求の範囲】
【請求項１】
ガラス等の透過面や、普通の壁を展示壁とした額縁・箱物で、
（イ）  表面（１）あるいは裏面（２）等のいずれか一方に、展示の取付け・取り外しが容易になる素材（３）を備える。
（ロ）  暗闇でも、鑑賞に堪えられるよう、照明機能（４）を内蔵する。
以上、一個の額装で、表裏（前後）からの鑑賞を可能とし、額装の厚さ・箱物によっては上下・左右等（５）あらゆる方向からの鑑賞が可能となる。しかも、夜間でも鑑賞に堪えられる時空を超越した額縁・箱物。
【発明の詳細な説明】
【技術分野】
【０００１】  従来の額縁は、その中の作品を引き立てるため、壁面に掛ける一方からの鑑賞に供した。また、立体的な作品であれば何かの上に置いていた。
本案は、その壁面や台との関わりから、新たな額装を提供するものである。
【背景技術】
【０００２】  様々なデザインの額装が市販されているが、ガラス戸等の透過面に額縁・箱物を取り付ける事は、中の作品を引き立てず常識外であった。また、照明器具を備えたものは見当たらない。
【発明の開示】
【発明が解決しようとする課題】
【０００３】  例えば、商店街のガラス戸の内側から、無造作にチラシや芸術作品？等が貼られ、美観を損ねている。この額縁がアイディア次第で街おこしにつながる等、簡易で身近に活かせる額装でありたい。
【課題を解決するための手段】
【０００４】  額縁（従来の額縁にとらわれない、透明板でもよい。）に接着可能な機能（３）＜吸盤・接着剤・装着テープ等＞を備える。また、一個の額装で、外側と内側の両面からの鑑賞が可能となるため、二個の額縁（１）（２）を背中合わせにしたような構造にする。上下左右（５）等、多方面からの鑑賞に堪える額装を提供するためには、その厚さや形に変化を与えればよい。この厚味を増すことが、ここに取り上げる箱物に相当する。勿論、今までのように、一個（一面）のみで活用してもよい。また、照明機能（４）を内蔵させることによって、暗闇でも注視度を高めることができる。この発明は、以上の構成よりなる接着・照明機能を備えた額縁・箱物である。
【発明の効果】
【０００５】  この結果、額縁へのイメージが一変し、透過展示壁の活用と、多面的な展示量によって、狭い空間でも多くの内容を効果的に展示することが可能となる。また、照明によって、見易さが一段と高まる。
【発明を実施するための最良の形態】
【０００６】  本発明は、軽くて丈夫な素材で、額縁状に窓が空いているか、透明性の高い板状のものであればよい。従来の吊るしたり掛けたりする機能に代わって、その額縁の表面（１）か裏面（２）あるいは箱型の一面に接着可能な素材（３）＜取り外し可能な吸盤・接着剤や接着テープ等＞を備える。その数は、必要に応じて増減する。額縁の中にのみあったマット（６）の機能を、外側にも備える配慮があってもよい。マットと額縁は、同一平面上で隣り合わせているので、デザインや色彩で区別する。作品を額の中に納める方法として、紙芝居のような差し込み式、箱ふたのようなかぶせ式、蝶番を用いる開閉式、ゴム紐などを用いる挟み式等が考えられる。作品の厚さ・例えば紙やキャバス枠、あるいは立体等に応じ必要な方法を用いればよい。照明器具の内臓（４）には、自然色か、色彩に現在の科学技術を加味するかの方法とがある。必要に応じて使い分け、また、数の増減を図る。
【図面の簡単な説明】
【０００７】
【図１】  本発明の斜視図である。
【図２】  本発明の縦断面図である。
【図３】  本発明箱物の斜視図である。
【符号の説明】
【０００８】１  表面額
２  裏面額
３  接着機能
４  照明機能
５  上下左右等多面額（箱物）
６  マット
【図１】
2012105933.tif 000003
【図２】
2012105933.tif 000004
【図３】
2012105933.tif 000005
(57)【要約】【課題】  この発明は、櫛歯に着色、または、切り込み、シールの貼付、太さを変更するなどして、目立つように工夫した目盛り目印付きカットコームを提供する。【解決手段】  カットコーム本体（１）に目盛り部（３）を設け、目盛り部（３）の延長上にあるコームの櫛歯に目盛りの目印部（２）を設け、目盛りの目印部（２）に定規機能を持たせ、櫛骨（４）の目盛りと対角する櫛歯側に目盛り部（５）を設け、目盛り部（５）の延長上にある櫛歯に目盛りの目印部（６）を設け定規機能を持たせた目盛り目印付きカットコーム。【選択図】図１
2012105940.tif 000002
【特許請求の範囲】
【請求項１】
カットコーム本体（１）に目盛り部（３）を設け、目盛り部（３）の延長上にあるコームの櫛歯に目盛りの目印部（２）を設け、目盛りの目印部（２）に定規機能を持たせ、櫛骨（４）の目盛りと対角する櫛歯側に目盛り部（５）を設け、目盛り部（５）の延長上にある櫛歯に目盛りの目印部（６）を設け定規機能を持たせた目盛り付きカットコーム。
【発明の詳細な説明】
【技術分野】
【０００１】  この発明は、櫛歯に着色、または、切り込み、シールの貼付、太さを変更するなどして、目立つように工夫した目盛り目印付きカットコームに関するものである。
【背景技術】
【０００２】  従来の目盛りの単位のｃｍなどの目盛り付きコームは、目盛りがコーム上に刻印されてあった。
【先行技術文献】
【０００３】
【特許文献１】  実開昭５７−１２１０４号公報
【発明の概要】
【発明が解決しようとする課題】
【０００４】  これは次のような欠点があった。
（イ）毛髪や頭皮の長さを測る際、コーム上に刻印されている目盛りの数字の延長を目測するため、間違えることがあった。
（ロ）数字の延長を目測するのに時間がかかってしまい不便であった。
（ハ）毛束にクシを梳かし込む幅や奥行きの目安がなく作業精度に差が生じやすかった。
本発明は、以上のような欠点をなくすためになされたものである。
【課題を解決するための手段】
【０００５】  カットコーム本体（１）に目盛り部（３）を設け、目盛り部（３）の延長上にあるコームの櫛歯に目盛りの目印部（２）を設け、目盛りの目印部（２）に定規機能を持たせ、櫛骨（４）の目盛りと対角する櫛歯側に目盛り部（５）を設け、目盛り部（５）の延長上にある櫛歯に目盛りの目印部（６）を設け定規機能を持たせた目盛り付きカットコーム。
【発明の効果】
【０００６】（イ）目盛りの延長上にある櫛歯に着色または切り込み、シールの貼付、太さを変更するなどして、目立つように目印が設けてあるため櫛歯が目盛り代わりになり一目瞭然で長さを測ることができる。
そのため、測り間違いや毛束を均一に分け取れないといったトラブルが減少しスピードが増し作業効率が向上する。
（ロ）櫛歯側にも目盛りと目印を設けることにより、毛束にクシを梳かし込む幅や奥行きが測れるため作業精度が安定する。
【発明を実施されるための形態】
【０００７】  以下、本発明を実施するための形態について説明する。
カットコーム本体（１）に目盛り部（３）を設ける。
目盛り部（３）の延長上にあるコームの櫛歯に目盛りの目印部（２）を設ける。
目盛りの目印部（２）に定規機能を持たせ、櫛骨（４）の目盛りと対角する櫛歯側に目盛り部（５）を設ける。
目盛り部（５）の延長上にある櫛歯に目盛りの目印部（６）を設ける。
以上のように構成された、定規機能を持たせた目盛り目印付きカットコーム。
これを使用するときは、目盛りの延長上にある目盛り目印（２）をガイドにし任意の幅の毛束を取る。
また、長さを測れば良い。
目盛り部（３）目盛り部（５）は１ｍｍ、５ｍｍ、１０ｍｍにしても良い。
任意の幅の毛束を取り出した後、目盛り部（５）と目盛り目印部（６）で櫛を梳かしこむ幅や奥行きを定量や任意に測りながらカットすれば作業精度が安定しカットされた切り口がきれいになる。
【図面の簡単な説明】
【０００８】
【図１】  本発明の正面図である。
【図２】  本発明の背面図である。
【符号の説明】
【０００９】１  カットコーム本体
２  目盛り目印部
３  目盛り部
４  櫛骨部
５  目盛り部
６  目盛り目印部
【図１】
2012105940.tif 000003
【図２】
2012105940.tif 000004
(57)【要約】      （修正有）【課題】従来品は、コンピューターゲームに市場を独占されてた。アメリカにＤ＆Ｄ等ボードを使わないゲームはあったがルールがあまりに複雑な為、ルールブックを調べながらプレイする為、一部の人間にしか普及していない。女性、大人はボードゲームは心理的に避ける傾向にあり、小供と一緒に遊んでも、大人は楽しめない。以上の課題を解決するカードゲームを提供する。【解決手段】ボードをなくして、カードを裏返すことによって、スリルを楽しむことができ、理解しやすく誰にでも手転に遊べる。Ｄ＆Ｄと違い、前準備も必要ない。（Ｄ＆Ｄは、ゲームマスターが、事前にストーリーや地図などを作っていなくては遊べない。）カードのデザインをお洒落にすれば、オタクを拒絶するような女性にも遊べる。【選択図】なし【特許請求の範囲】
【請求項１】
新しいカードゲームを開発しました。従来のものと違い、スゴロクのボードのかわりに、タイルマットのようにカードを並べて、遊ぶシステムにしました。【表１】
2012105945.tif 000003
表のように４×４＝１６枚のカードを裏返しに並べ、左下から１枚ずつめくっていき、（どの方向に進むかは任意）バトルや財宝を獲得しながら、階段のカードをさがします。１６枚全てめくってしまうとゲームオーバーになるので、その前に階段のカードをさがさなくてはなりません。  クリアしたら、カードをまた裏返しシャッフルして並べなおせば、次のエリアが完成です。
【発明の詳細な説明】
【技術分野】
【０００１】すごろく
【背景技術】
【０００２】携帯電話サイトのＧＲＥＥの中で「ドラゴンコレクション」というカードゲームがあり、それ以前にも様々なカードゲームがふ及しています。
【先行技術文献】
【０００３】Ｄ＆Ｄ（アメリカのゲーム）ゲームブック（小説のあとに自分で選択して進む方向を決めるゲーム）ポケモンカードバトル他様々なカードゲームがあります。
【特許文献】
【特許文献】調べましたがわかりませんでした。
【０００４】
【非特許文献】
【非特許文献】Ｄｕｎｇｅｎ＆Ｄｒａｇｏｎｓ（アメリカのアナログのゲーム）ゲームブック（２０年前にはやりましたが今はありません。
【０００５】
【発明の概要】
【発明が解決しようとする課題】
【０００６】ボードのスゴロクはかさばるため、持ち運べない。パッと見て、どうなっていくかが見えてしまう。想像力がかきたてられないため、２〜３回で飽きる。などの原因によりコンピューターゲームが主流となっており、友人同士のコミュニケーションや、親子同士で遊ぶことが少なくなってきました。
【課題を解決するための手段】
【０００７】ボードを細分化して、カードにしました。又、何度でも遊べるように裏と表をつくって、めくる様式にしました。
【発明の効果】
【０００８】  従来の人生ゲーム等に比べ、売場の縮小によりせまいコンビニ等でも販売しやすくなりました。  ２〜３回飽きてしまうボードゲームですが、カードで拡張できるため、ゲーム性に奥行きを持たせ、何度でも遊べるようになりました。  保管場所もコンパクトで、買ってもかさばらず、バッグ等に入れて持ち運べるようになりました。  コンピューターゲームよりもコミュニケーションしやすく、家遊、職場、学校での円滑化に期待できます。  カードをめくる時のスリルがある為、退屈な従来品よりも、より深く楽しむことができます。
【図面の簡単な説明】
【０００９】
2012105945.tif 000002
【発明を実施するための形態】
【００１０】  アナログの紙による販売。トランプのように小さい箱に入れて販売する。  又は、コンピューターゲームとして販売する。携帯ゲームでも可能。スマートフォンなどでも期待できる。
【産業上の利用可能性】
【００１１】  カードの図柄を抽象的なものにすれば、コンピューターゲームよりも女性受けしやすくなります。又、海外でも販売がしやすく安価で生産できます。
【図１】
2012105945.tif 000004
【図２】
2012105945.tif 000005
【図３】
2012105945.tif 000006
【図４】
2012105945.tif 000007
【手続補正書】
【提出日】平成23年2月17日(2011.2.17)
【手続補正２】
【補正対象書類名】明細書
【補正対象項目名】０００９
【補正方法】変更
【補正の内容】
【０００９】
【図１】このようにすれば、コンビニエンスストアで、トランプ等と、並べて販売できる為、マーケットの確保がしやすい。
【図２】従来品より、非常にコンパクトで、便利。
【図３】スナック菓子のおまけ等、拡張しやすく、コレクションする楽しみがあるので、利益を上げることができる。
【図４】高価なコンピュータゲームと違い、安価で誰にでも普及しやすく、貧困層でも買える。
【図５】３番目のカードから、上、右、左のどれに進むかはプレイヤーが好きに選べる。斜めには進めない。
【手続補正３】
【補正対象書類名】図面
【補正対象項目名】全図
【補正方法】変更
【補正の内容】
【図１】
2012105945.tif 000008
【図２】
2012105945.tif 000009
【図３】
2012105945.tif 000010
【図４】
2012105945.tif 000011
【図５】
2012105945.tif 000012
(57)【要約】【課題】屋外での傷口の洗いと消毒をし非常食の携帯用を提供する。【解決手段】たれびんにそれぞれ水、オキシドールを入れ救急絆創膏をセロテープで巻いて１セットにし携帯用として傷口の汚れを水の水圧で洗い落とし、オキシドールの水圧で傷口の奥まで消毒し、救急絆創膏で保護し、急なのどの渇き時水飲み必要に応じてスポーツドリンク等栄養剤液を入れ災害時の水分補給と栄養補給が可能となり非常食になる。【選択図】なし【特許請求の範囲】
【請求項１】
（イ）水の入ったたれびんを１個用意する。
（ロ）オキシドールの入ったたれびんを１個用意する。
（ハ）救急絆創膏を１枚用意する。
（二）これらをセロテープでひと束として巻いて１セットにする。
（ホ）この結果、屋外で水やオキシドールない所でも携帯できどこでも傷の洗いや消毒と保護が可能となる。
従来、水入り小袋とオキシドール含有脱脂綿付き救急絆創膏セットがあったが生産過程を早くし、既存のたれびんを使用することで液体がこぼれることもなくなった。使用法は先ず水の入ったたれびんを強く押して水の水圧で傷口の汚れを洗い落とし、オキシドールの入ったたれびんを強く押してオキシドールの水圧で傷口の奥までも消毒でき、最後に救急絆創膏で保護する。必要に応じてたれびんの中にスポーツドリンク等栄養剤液を入れ、水は飲料用としても使用でき災害時の水分補給と非常食となる。以上の如く特徴を持つ携帯水入りたれびんとオキシドール入りたれびんと救急絆創膏兼非常食セット。
【発明の詳細な説明】
【技術分野】
【０００１】  本発明は、携帯水入りたれびんとオキシドール入りたれびんと救急絆創膏兼非常食セットに関する。
【背景技術】
【０００２】  従来、外出先での傷口は救急絆創膏で保護するだけに留まっていたし非常食携帯用はなかった。【０００３】
【特許文献１】特開２０００−０４２０２５号公報
【発明の開示】
【発明が解決しようとする課題】
【０００４】    従来、外出先での傷口は救急絆創膏で保護するだけに留まっていたし携帯非常食はなかった。
【課題を解決するための手段】
【０００５】  たれびんにそれぞれ水、オキシドールを入れ救急絆創膏にセロテープでひと束として巻いて１セットにした。またたれびんにスポーツドリンク等水分栄養補給といった非常食も入れることも可能である。
【発明の効果】
【０００６】  外出先の屋外での傷口洗いを可能にし、消毒、保護さらに災害時等に携帯できる非常飲料水となる。
【発明を実施するための最良の形態】
【０００７】    たれびんにそれぞれ水、オキシドールを入れ救急絆創膏とセロテープで巻いて１セットにし、傷口の汚れを水入りたれびんを強く押してその水圧で洗い落としオキシドール入りたれびんを強く押してその水圧で傷口の奥までも消毒でき最後に救急絆創膏で保護する。必要に応じて、たれびんにスポーツドリンク等栄養剤液を入れ、災害時等やのどの渇き時に水分補給、栄養補給といった非常食にもなる。以上の如く特徴を持つ携帯水入りたれびんとオキシドール入りたれびんと救急絆創膏兼非常食セット。
【実施例】
【０００８】    既製品のたれびんを使用することで生産過程を単純で早く当業者も作れるようにし、上記の如く実施される。
【産業上の利用可能性】
【０００９】    この分野の発明は特許文献１の改良でより良く効率的になっており、生産という面でも良く、擦り傷の多い子供等に使用でき、用途は急なのど渇き、災害時等の水分補給、栄養補給といった非常食まで拡がり携帯用としては産業上の利用可能性は高いと解される。
(57)【要約】      （修正有）【課題】上面に設置したミラーを撮像することで、広角映像を得る監視カメラレンズにおいて、レンズに埃が堆積することを防止するとともに、広角映像を得るための凸面鏡（ドーム型）ミラー形状は、上下の距離があるために発生するピンボケを防止する。【解決手段】監視カメラ本体の位置を外から凸面鏡（ドーム型）死角ミラー内部に変更すると同時に、凸面鏡（ドーム型）死角ミラー下に小さい凸面鏡を固定し凸面鏡（ドーム型）死角ミラーを鏡に写しだし内部監視映像を可能にした。また、ピンボケの防止のため、小さい凸面鏡を撮像することとした。【選択図】図３
2012105243.tif 000002
【特許請求の範囲】
【請求項１】
本件は特願２００９−１１５９５０「監視カメラと死角ミラーの統合及び監視と安全確認の視界拡大」の監視カメラ映像を撮る構造を変更したものである。
符号１凸面鏡（ドーム型）死角ミラーは歩行者側がどの角度からも安全確認できる機能は中心の底から観るとアムニディレクショナル（Ｏｍｎｉｄｉｒｅｃｔｉｏｎａｌ）機能である。この鏡に写るものを符号２小さい凸面鏡で写し、符号１凸面鏡（ドーム型）死角ミラーの中心に小さい穴から符号３監視カメラを固定し符号２小さい凸面鏡面積部を監視映像撮る構造である。
又、符号３監視カメラのレンズの向きが上向きから下向きに変更することでレンズ部に埃がたまらない効果も改善した。
【発明の詳細な説明】
【発明の詳細な説明】
【技術分野】
【０００１】本発明は、特願２００９−１１５９５０「監視カメラと死角ミラーの統合及び監視と安全確認の視界拡大」の監視カメラの位置に関する。
【背景技術】
【０００２】特願２００９−１１５９５０「監視カメラと死角ミラーの統合及び監視と安全確認の視界拡大」の技術は、凸面鏡（ドーム型）死角ミラーは歩行者側の安全確認と同時に下から撮り監視映像の技術である。【０００３】しかし、凸面鏡（ドーム型）死角ミラーを底から撮るためにレンズの上に埃よる障害と凸面鏡（ドーム型）死角ミラー形状は上下の距離間ありピンボケ部が発生する。【０００４】そのために監視カメラの機能が低下する。
【発明の開示】
【発明が解決しようとする課題】
【０００５】以上に述べた特願２００９−１１５９５０「監視カメラと死角ミラーの統合及び監視と安全確認の視界拡大」では、監視カメラ位置が凸面鏡（ドーム型）死角ミラーの底から撮る技術では環境から派生する埃で監視映像が低下する。【０００６】又、底からの監視カメラではレンズ機能が広角レンズと凸面鏡（ドーム型）死角ミラー上下の距離間を撮るためにピントボケ部が派生する。
【課題を解決するための手段】
【０００７】監視映像障害を改善するためには、監視カメラを外から凸面鏡（ドーム型）死角ミラー内部に固定しレンズを下向きにすることで埃がたまらない。【０００８】次に、小さな凸面鏡を凸面鏡（ドーム型）死角ミラーの底の中心に固定し凸面鏡（ドーム型）死角ミラー全体を内部の小さい穴から小さい凸面鏡を撮る。【０００９】又、小さい凸面鏡全体を撮るために広角レンズは標準レンズ変更し、しかも小さい凸面鏡の上下の距離間は短くなりピンボケ部もなくなる。
【発明の効果】
【００１０】その効果、凸面鏡（ドーム型）死角ミラー側の特性３６０度鏡に写し歩行者の安全確認を維持する。【００１１】小さい凸面鏡は、凸面鏡（ドーム型）死角ミラーを底から撮るために、内部に固定した監視カメラで小さな凸面鏡を撮る。【００１３】その結果、現行の機能を維持し、鏡に埃が存在しても監視映像障害はない。【００１４】小さい凸面鏡の面積が小さいため監視カメラのレンズも標準レンズで足りる。【００１５】又、小さい凸面鏡は上下の距離間が短いためピントボケ部がなくなることは絞り機能を必要としない。【００１６】監視カメラを内部に変更することで、配線類も同時に収納しスマートにさせた。
【発明の実施するための最良の形態】
【００１７】以下、本発明の実施の形態を図１〜図３に基づいて説明する。
【００１８】図１は投影図である。
【００１８】図２は三角法図である。
【００１９】図３はＡ−Ａ断面詳細図面である。
【００２０】図３はＡ−Ａ断面図の符号１凸面鏡（ドーム型）死角ミラーの鏡に写る機能は歩行者側の安全確認と監視映像の基本である。
【００２１】符号１凸面鏡を支える符号４フレームの中心の下に符号２小さい凸面鏡で符号１凸面鏡の鏡面積を映し出す。
【００２２】符号２小さい凸面鏡を符号１凸面鏡内部に固定した符号３監視カメラで映し監視映像を映しだす構造である。
【００２３】又、現在あるＰＡＬＮＯＮレンズの構造は凸面鏡と凹面鏡で出来ている。この結果、専用レンズで中心部が空洞で、しかも歩行者の安全確認はなきない。
【図面の簡単な説明】
【００２４】
【図１】本発明の実施形態投影図
【図２】三角法外観図
【図３】Ａ−Ａ断面図詳細図
【符号の説明】
【００２５】１  凸面鏡（ドーム型）死角ミラー
２  小さい凸面鏡
３  監視カメラ（ＣＣＤ）
４  フレーム
【図１】
2012105243.tif 000003
【図２】
2012105243.tif 000004
【図３】
2012105243.tif 000005
(57)【要約】【課題】  バッグのひったくりに遭った場合、今までは取られた後に防犯ブザーを鳴らしたとしても犯人は逃げた後であり、ひったくりに遭っている最中に防犯ブザーを鳴らす事は困難だった。  本発明はひったくりからバックを取られないための防犯ブザーを提供する。【解決手段】長さを調整可能にした伸縮ベルトの両端に、バッグ等に装着するリング状の金具を設け、防犯ブザーを伸縮性ベルトの一部に固定し、防犯ブザーのスイッチ部に先端が挿入自在となるスイッチ紐の後端を金具に固着した、ひったくり防犯ベルト。【選択図】図１
2012099077.tif 000002
【特許請求の範囲】
【請求項１】
長さを調整可能にした伸縮ベルトの両端に、バッグ等に装着するリング状の金具を設け、防犯ブザーを伸縮性ベルトの一部に固定し、防犯ブザーのスイッチ部に先端が挿入自在となるスイッチ紐の後端を金具に固着した、ひったくり防犯ベルト。
【発明の詳細な説明】
【技術分野】
【０００１】  本発明は、盗難のひったくりから自分のバッグを取られないための防犯ベルトに関するものである。
【背景技術】
【０００２】  従来、夜道の安全対策やひったくりからバッグを取られないように防犯ブザーを持っていたとしても、ひったくりに遭った場合バックを守ろうとするだけで精一杯で、実際はバッグを取られた後、つまりひったくりが逃げた後でないとブザーを鳴らすことが出来なかった。またバッグの中に防犯ブザーを入れていた場合、バッグを取られてしまっては防犯ブザーを鳴らすことすら出来なかった。
なおひったくり防止のためにバッグにもう１個の小型バッグを組み合わせて一体となし、防犯ブザー、チェーンを組み入れてなるひったくり抑止Ｗバッグが知られている。
（特許文献１）
【先行技術文献】
【０００３】
【特許文献１】特開２０１０−１２１９１号公報
【発明の概要】
【発明が解決しようとする課題】
【０００４】  夜道など特に女性が１人で手提げバッグを持っている時にひったくりに遭った場合、防犯ブザーを持っていたとしても、バッグの中に入っていたらバッグごと取られてしまうと意味をなさず、身に付けていたとしてもひったくりが逃げた後しか鳴らせないため、それではあまり防犯にはならない。
それにひったくりに会った時は気が動転しており実際は何も出来ずに終わってしまう。
なおひったくり犯人が強い力でバッグのベルトを引っ張ったり自転車やバイクでひったくりをするときは、バッグ保持者が転倒して怪我をする危険があった。
本発明は以上の問題点を解決するものである。
【課題を解決するための手段】
【０００５】  長さを調整可能にした伸縮ベルトの両端に、バッグ等に装着するリング状の金具を設け、防犯ブザーを伸縮性ベルトの一部に固定し、防犯ブザーのスイッチ部に先端が挿入自在となるスイッチ紐の後端を金具に固着した、ひったくり防犯ベルト。
【発明の効果】
【０００６】  従来バッグをひったくりに取られた後に防犯ブザーを鳴らしていたが、本発明はひったくりがバッグを取ろうとする時にベルト部分が延伸した状態で防犯ブザーが自動的に外れ、ブザーが鳴るしくみになっている。なおこのとき、ベルトは延伸して長くなるがバッグが所持人から離れることはない。したがって、ひったくり犯は驚き逃げ出すがバッグを取られずにすむ。バッグ保持者は、ベルトが延伸して長く延びる為に転倒する危険がなく怪我をすることもない。
【図面の簡単な説明】
【０００７】
【図１】本発明の斜視図
【図２】本発明の使用状態を示す斜視図
【発明を実施するための形態】
【０００８】以下、本発明の実施の形態を説明する。
（イ）長尺の伸縮ベルト（２）は、リング状の金具（１ａ）のリングを貫通させて折り返し、その伸縮ベルト（２）の先端にアジャスター（３）を固定し、アジャスター（３）は伸縮ベルト（２）の中途に装着されて、伸縮ベルトの長さを調整可能にする。
（ロ）防犯ブザー（５）を、掛止具（４）を介して伸縮性ベルト（２）の一部に固定する。
（ハ）防犯ブザー（５）のスイッチ部（６）に先端が挿入自在となるスイッチ紐（７）の後端を金具（１ａ）に固着する。
（ニ）伸縮ベルト（２）の他端をリング状の金具（１ｂ）に取り付ける。
本発明は以上の構成よりなる。
本発明を使用するときは、ひったくり防犯ベルトの両端の金具（１）をバッグの取っ手、またはバッグの取っ手の金具に取り付け、ひったくり防犯ベルトをたすきがけにしてバッグを持ち運ぶ。
もしひったくりがバッグを取ろうとして、ひったくり防犯ベルトの伸縮性のベルト（２）部分または、バッグ本体を掴んで引っ張ったときに、伸縮性ベルト（２）が伸びる事により、防犯ブザー（５）のスイッチ部（６）よりスイッチ紐（７）が外れて、自動的に防犯ブザー（５）が鳴る仕組みである。尚、危険を感じたときに、本人が自らの手で防犯ブザーの紐（６）を引き防犯ブザー（５）を鳴らすことも可能である。そのため、ひったくり防犯ベルトの金具（１）がバッグ所持人の手前になるようにバッグを持つ。
伸縮ベルト（２）は延伸するために、ひったくり犯に掴まれて引っ張られても、バッグ所持人から外れることはなく、またバッグ所持人が転倒する危険もない。
【符号の説明】
【０００９】１金具、２伸縮性のベルト、３アジャスター、４掛止具、５防犯ブザー、６スイッチ部、７スイッチ紐
【図１】
2012099077.tif 000003
【図２】
2012099077.tif 000004
(57)【要約】      （修正有）【課題】男女交際の相手を自動的にさがす。【解決手段】携帯端末で交際希望のデーターをあらかじめ登録する。本体をＯＮにし、電波発信部より電波を発信させる。外部を行動中、相手の電波を電波受信部より受信し、お互いの相性が合うと、相手の電気点灯部が点滅し本人を確認できる。確認して気に入ればイヤホーンを通して話ができる。もし見た目で相性が合いそうもない時は、ボタンを押して電波の発信を止める。以上の繰り返しで素敵な恋人をさがすことができる。装飾部と本体を合体して使用も可能であり、装飾部は色々の奇麗なものと交換が可能である。【選択図】図１
2012099080.tif 000002
【特許請求の範囲】
【請求項１】
この恋い人さがしは、男女交際の手助けを行う機器であり、一般公道や公共の建物等で行動中に、胸につけた簡単な機器のコンピューターに、希望相手のデーターを打ち込みスイッチをＯＮにして微弱電波を発しておき、相手も同じ機器にデーターを打ち込んで微弱電波を発生させ、お互いが接近したとき相性が会うと当事者同士に信号か送られ、交際発展の手助けをする機器であり、日本全国、世界各国でこの機器を使用いている同士の交際が可能になる。
男女交際に大変便利な機器である。
データー例
希望年齢、収入、趣味、身長、性格、好きなタイプその他多数あり。
【発明の詳細な説明】
【発明の詳細な説明】
【産業上の利用分野】
【０００１】恋人をさがすには、結婚相談所や友逹の紹介、その他色々のサークルの人的紹介等でさがしていたが、この機器を使用すると近くにいる大衆の中から、ランダムに恋人をさがすことができ大変便利であり、いま日本の少子化の現状に貢献できそうである。
【背景技術】
【０００２】従来の恋人さがしは結婚相談所、友逹の紹介、色々ののサークル等で交際する機会で限られていた。
【発明が解決しようとする課題】
【０００３】（イ）簡単なこの機器を持ち歩くことによって、何時でも何処でも交際相手探しにアタックができ便利である。
（ロ）世界中何処でもこの機器をお互いにもっていれば、世界中の人と交際が可能になる。
【課題を解決するための手段】
【０００４】この機器に希望する相手のデーターを打ち込み、微弱電波を発し胸につけて公道や公共施設等その他一般の場所を歩くと、お互いが打ち込んだデーターの相性が会えば簡単手軽に交際相手を探すことができる、便利な機器である。
【作用】
【０００５】本体にデーターをインプットし、装飾部を接続し微弱電波を発生し、街の中を歩き相性の会う相手に会うと、機器が信号で知らせてくれる。
其のとき相手に会い交際が開始できる。
【発明の効果】
【０００６】結婚相談所、友人の紹介、サークル活動等の人的紹介より、近くの大衆の中から機器をとうして、ランダムに相性の会う人をさがす事ができ大変便利である。
又  移動中は何時も恋人さがしの活動中である。
図１を参照
【図面の簡単な説明】
【図１】本体
【図２】装飾部
【図３】本体裏部
【符号の説明】１−装飾部ＯＮ  ボタン
２−電波発信部
３−電波受信機
４−電気点灯部
５−データー用コンピューター
６−液晶表示パネル
７−装飾部接続口
８−充電部
９−イヤホン差し込み口
１０−本体機動ボタン
１１−データー登録ボタン
１２−本体接続コード
【図１】
2012099080.tif 000003
【図２】
2012099080.tif 000004
【図３】
2012099080.tif 000005
(57)【要約】      （修正有）【課題】労働基準法に基づく一週間単位でのシフト表作成方法を提供する。【解決手段】変形労働時間制で定められている期間単位の制限時間を設けたシフト毎に、休憩時間を明記する。これにより、休憩時間を取りやすくする。【選択図】なし【特許請求の範囲】
【請求項１】
労働基準法に基づくシフト表フォーマット
【発明の詳細な説明】
【発明の詳細な説明】
【技術分野】
【０００１】  会計基準並び、財務諸表
【背景技術】
【０００２】  従来のシフト表作成では、一日単位・一ヶ月単位で構成されており、一週間単位が欠けていた。
【特許文献１】
【非特許文献１】
【０００３】
【発明が解決しようとする課題】
【０００４】従来のシフト表作成では、一日単位・一ヶ月単位で構成されており、一週間単位が欠けていた。
【課題を解決するための手段】
労働基準法で一番重要視されている、一週間単位をメインに構成する。
変形労働時間制で定められている、期間単位の制限労働時間を設ける。
休憩時間を、シフト毎に明確にする。
【発明を実施するための形態】
シフト表は一週間単位で作成する。
変形労働時間制で定められている期間単位の制限労働時間を設けるシフト毎に、休憩時間を明記する。
【実施例】シフト表は一週間単位で作成した。
変形労働時間制で定められている期間単位の制限労働時間を設けたシフト毎に、休憩時間を明記した。
【発明の効果】
シフト表を一週間単位で作成したため、労働時間を四十時間以内に収める習慣が生まれた。
変形労働時間制で定められた期間単位の制限労働時間を設けため、労働時間が効率化出来た。
シフト毎に、休憩時間を明記したため、休憩時間が取りやすくなった。
【図１】
2012099073.tif 000002
【手続補正書】
【提出日】平成23年3月29日(2011.3.29)
【手続補正１】
【補正対象書類名】明細書
【補正対象項目名】全文
【補正方法】変更
【補正の内容】
【発明の詳細な説明】
【技術分野】
【０００１】  会計基準並び、財務諸表
【背景技術】
【０００２】  従来のシフト表作成では、一日単位・一ヶ月単位で構成されており、一週間単位が欠けていた。
【特許文献１】
【非特許文献１】
【０００３】
【発明が解決しようとする課題】
【０００４】従来のシフト表作成では、一日単位・一ヶ月単位で構成されており、一週間単位が欠けていた。
【課題を解決するための手段】
労働基準法で一番重要視されている、一週間単位をメインに構成する。
変形労働時間制で定められている、期間単位の制限労働時間を設ける。
休憩時間を、シフト毎に明確にする
【発明を実施するための形態】
シフト表は一週間単位で作成する。
変形労働時間制で定められている、期間単位の制限労働時間を設けるシフト毎に、休憩時間を明確にする。
【実施例】シフト表は一週間単位で作成した。
変形労働時間制で定められている、期間単位の制限労働時間を設けるシフト毎に、休憩時間を明確した。
【発明の効果】
シフト表を一週間単位で作成したため、労働時間を四十時間以内に収める習慣が生まれた。
変形労働時間制で定められた期間単位の制限労働時間を設けため、労働時間が効率化出来た。
シフト毎に、休憩時間を明記したため、休憩時間が取りやすくなった。
【図面の簡単な説明】
【０００５】
【図１】記入例を表す図である。
(57)【要約】      （修正有）【課題】自動番組送出装置に於ける無音事故の際に、緊急放送の時間を最小限に留め、次の番組やコマーシャルを確実に放送する無音事故防止機能を有する自動番組送出装置を提供する。【解決手段】自動番組送出装置に無音検出装置の無音検知出力を入力し、自動番組送出装置は無音状態が一定時間継続したら、音声切り替え器を制御して緊急放送音源を放送する。一定期間正常レベルが続いたら正常放送に戻す。但し無音状態でも次の番組やコマーシャルの放送時刻になったら正常放送に戻す。【選択図】図３
2012114533.tif 000002
【特許請求の範囲】
【請求項１】
（１）無音検出装置の無音検出出力を自動番組送出装置に入力し、無音状態が一定時間継続したら、音声切り替え器を制御して緊急放送音源を放送する。
（２）無音状態が解消し一定期間正常レベルが継続するか、無音状態中でも次の番組やコマーシャルの放送時刻になったら正常放送に戻す。
以上のごとく構成された自動番組送出装置。
【発明の詳細な説明】
【技術分野】
【０００１】
本発明は、無音事故防止装置を内蔵したパソコンによる自動番組送出装置に関する。
【背景技術】
【０００２】
従来の自動番組送出装置に於ける無音事故防止装置は自動番組送出装置出力の音声信号レベルを常時検知して一定期間無音が続くと緊急放送用の曲を機械的に送出し無音事故を避け、そして出力レベルが一定期間正常レベルに戻ったら通常放送に復帰するものである。例えば20秒間以上無音出力が続くと緊急放送用の曲を強制的に送出して、その後正常出力が2分間以上続けば、通常放送に復帰する設定が一般的である。これはキー局からの衛星回線経由のネット番組が大雨等の原因で受信状態が不安定になる場合を想定している。そのため番組が安定しても、更に数分間は緊急放送用の曲を流し続け、次の番組に移ってもコマーシャルも放送することができなかった。
【０００３】
以下図１により従来の自動番組送出装置を説明する。４の無音検出装置は１の自動番組送出装置の出力音声信号を常時監視し一定期間無音状態が続くと３の音声切り替え器を制御して緊急放送音源を再生して無音状態が続くことを防いでいる。
【０００４】
その後も１の自動番組送出装置の出力信号の監視を続け、一定期間正常状態が続くと３の音声切り替え器を制御して通常放送に復帰する。
【発明の概要】
【発明が解決しようとする課題】
【０００５】
以上に述べた従来の無音事故防止装置は自動番組送出装置と連動せず番組編成とは無関係に音声レベルだけを検知して動作する。そのため次の番組の冒頭部分の数分間を放送できないだけでなくスポンサーとの契約事項であるコマーシャルも放送できない場合があった。
【０００６】
本発明は番組編成に連動した無音事故防止機能を有する自動番組送出装置を実現することを目的とする。
【課題を解決するための手段】
【０００７】
自動番組送出装置に無音検出装置の無音検知出力を入力し、自動番組送出装置は無音状態が一定時間継続したら、音声切り替え器を制御して緊急放送音源を放送する。
【０００８】
無音検知を続け、一定期間正常レベルが続いたら正常放送に戻す。但し無音状態でも次の番組やコマーシャルの放送時刻になったら正常放送に戻す。
【発明の効果】
【０００９】
本発明は上述したような構成なので緊急放送の時間を最小限に留め、次の番組やコマーシャルを確実の放送することができ、スポンサーとの契約を守ることができる。
【図面の簡単な説明】
【００１０】
【図１】旧来の自動番組送出装置における無音検出システム
【図２】本発明の自動番組送出装置の構成図
【図３】本発明の無音検出機能内蔵自動番組送出装置の動作シーケンス
【実施例】
【００１１】
図２は本発明の実施例であって、４の無音検出装置出力を１の自動番組送出装置に入し、一定期間無音状態が続けば自動番組送出装置は３の音声切り替え機を制御し２の緊急放送音源を送出する。無音状態が解消し一定期間正常状態が続けば１の自動番組送出装置は３の音声切り替器を制御し１の自動番組送出装置出力を放送する。無音状態が継続中でも次の番組やコマーシャルの放送時刻になれば３の音声切り替器を制御し１の自動番組送出装置出力を放送する。
１の自動番組送出装置に４の無音検出装置の機能と２の緊急放送用音源を組みこめば、無音事故防止機能内蔵の自動番組送出装置にもなる。
【産業上の利用可能性】
【００１２】
本発明はラジオ放送の無音放送事故解消だけでなくテレビ放送の無音放送事故解消にも同様に適用できる。
【符号の説明】
【００１３】
１  自動番組送出装置
２  緊急放送用音源
３  音声切り替器
４  無音検出装置
【図１】
2012114533.tif 000003
【図２】
2012114533.tif 000004
【図３】
2012114533.tif 000005
(57)【要約】【課題】  室内の光は電球から直接届くもの、遮光板を通して届くもの、反射されたものなどがある。特に天井に取り付けるシーリングライトは遮光板を通して届くが、装飾性に乏しく人の心に訴えかけるものがない。  本発明は装飾性あふれるライトカバーを提供する。【解決手段】  光をよく通す薄手のやわらかい布地に様々な模様や形をつける。カバーの内側に、ライトよりやや大きめの細い竹ヒゴ様の着脱可能なプラスチック枠を置く。縁にヒモを通し、二ヶ所にヒモの長さを調節する穴を設ける。【選択図】図１
2012146618.tif 000002
【特許請求の範囲】
【請求項１】
光をよく通す薄手のやわらかい布地に、様々な模様や形をつける。カバーの内側にライトよりやや大きめの細い竹ヒゴ様の着脱可能なプラスチック枠を置く。縁にはヒモを通し、二ヶ所にヒモの長さを調節する穴を設けたライトカバー。
【発明の詳細な説明】
【技術分野】
【０００１】  本発明はライトのカバーに関するものである。
【背景技術】
【０００２】  従来、装飾を施した電灯の傘やシャンデリア等は色々あった。
【先行技術文献】
【０００３】
【特許文献１】  ２７２１８５０
【発明の概要】
【発明が解決しようとする課題】
【０００４】  室内の光は電球から直接届くもの、遮光板を通して届くもの、反射させるものなどがある。特に天井に取り付けるシーリングライトは遮光板を通して届くが装飾性に乏しく人の心に訴えかけるものがない。
本発明は以上の問題点を解決するためになされたものである。
【課題を解決するための手段】
【０００５】  光をよく通す薄手のやわらかい布地に、光を遮ぎったり、通したり、反射させたりする様々な模様や形をつける。カバーの内側にライトの枠よりやや大きめの細い竹ヒゴ様の着脱可態なプラスチック枠を置く。
縁にはヒモを通し、二ヶ所にヒモの長さを調節する穴を設けてすぼめながらライトに装着する。
以上の構成よりなるライトカバー。
【発明の効果】
【０００６】  人は太陽と共に進化し現在に至る。電気による光であっても、光に対する感覚は人のＤＮＡに組み込まれている。美しい色や形の光が疲れた心を癒し気持をほぐす。老人ホームや病院などケアが必要なところでは光によるライトテラピーは効果的である。又個人の家の室内でも時々カバーをつけ替えて天井の雰囲気や光の変化を楽しむことができる。
【図面の簡単な説明】
【０００７】
【図１】  本発明の正面図
【図２】  本発明の側面図
【図３】  本発明の展開図
【発明を実施するための形態】
【０００８】  以下、本発明の実施の形態を説明する。
（イ）  模様（５）を施したうすい布（４）の縁にヒモ（７）を通し、ヒモ穴（８）を設ける。
本発明は以上のような構造である。
本発明を使用するときは、天井（１）から吊した蓋（３）をはずしたシーリングライト（２）に、内側にプラスチックの枠（６）を置いたライトカバー（４）をかぶせてヒモ穴（８）から出ている縁ヒモ（７）をすぼめて装着する。
【符号の説明】
【０００９】  （１）天井、（２）シーリングライト、（３）ライト蓋、（４）ライトカバー
（５）ライトカバー模様、（６）プラスチック枠、（７）縁ヒモ、
（８）ヒモ穴
【図１】
2012146618.tif 000003
【図２】
2012146618.tif 000004
【図３】
2012146618.tif 000005
(57)【要約】      （修正有）【課題】照明器具を取り付ける場合、配線工事のために電気業者に依存することなく、一般の人びとが、手軽に設置できるＬＥＤ照明器具を提供する。【解決手段】パイプ１の一端にスイッチ２を設け、アクリル３の裏に、電源（乾電池）４を設け、照明器具を電源４と一体化する。【選択図】図１
2012146617.tif 000002
【特許請求の範囲】
【請求項１】
パイプ（１）の一端に（２）を設けアクリル（３）の裏に（４）を設けた、電源付きＬＥＤ照明器具である。
【発明の詳細な説明】
【技術分野】
【０００１】  この発明は、電気工事がいらないので、設置場所を選ばず、設置できるＬＥＤ照明に関するものである。
【背景技術】
【０００２】  従来、電気工事が不可欠だった。
【先行技術文献】
【０００３】
【発明の概要】
【発明が解決しようとする課題】
【０００４】  これは、次のような欠点があった。
従来、照明を増設する場合、配線工事に伴い、躯体を一部開口して設置場所までの配線工事を、必要とした。
よって使用者の負担金が大きかったが、本発明は、以上のような欠点をなくすためになされたものである。
【課題を解決するための手段】
【０００５】  パイプ（１）のところに（２）を設け、アクリル（３）の裏に（４）を設ける。
本発明は、以上の構成によりなる照明器具である。
【発明の効果】
【０００６】  照明器具が電源と一体となっているので、新たに照明が必要に迫られてもローコストにて、場所（雨水等は不可）を選ばず、どこにでも設置可能である。
【図面の簡単な説明】
【０００７】
【図１】  本発明の斜視図である。
【図２】  本発明の断面図である。
【発明を実施するための形態】
【０００８】  以下、本発明を実施するための形態について説明する。
パイプ（１）の上部の一端に（２）を設ける。
アクリル（３）の裏に（４）を固定する。
本発明は、以上のような構造である。
これを使用するときは、電源と一体になった照明器具を必要とする場所に設置すればよい。
【符号の説明】
【０００９】１  パイプ
２  スイッチ
３  アクリル
４  電源（乾電池）
【図１】
2012146617.tif 000003
【図２】
2012146617.tif 000004